(57)【特許請求の範囲】
【請求項１】
ほぼ平面状をなす本体を備えた、使用者の指によって推進される玩具であって、
前記本体は切欠き領域を形成する凹部を有し、
前記切欠き領域は、凹部への入口近傍において前記本体にフック部を形成し、
前記凹部のフック部とは反対の側において、前記本体は、一対の翼状部を形成する指係合部を備え、
前記一対の翼状部は互いから離れるように広がって使用者の指を把持可能である、玩具。
【請求項２】
前記翼状部が弾性を有し、互いに接近するように付勢され、前記翼状部の弾性により、該翼状部が使用者の指を把持可能である、請求項１に記載の玩具。
【請求項３】
前記本体が指係合部の領域を除いて互いに固定される一対の層から形成され、指係合部に位置する前記一対の層が一対の翼状部を形成する、請求項２に記載の玩具。
【請求項４】
前記一対の層が対向する表面を形成し、これら表面は指係合部の領域以外において互いに接着される、請求項３に記載の玩具。
【請求項５】
前記凹部は使用時に使用者の指を受承する、請求項１に記載の玩具。
【請求項６】
使用時においては、前記フック部の端部が使用者の指の爪と係合し、前記指係合部が、使用者の前記爪とは反対側において指先と係合する、請求項１に記載の玩具。
【請求項７】
前記玩具が使用者によって発射されたときに空中における該玩具の回転動作を変更するために、前記本体によって形成される対向する表面に空力的構造を備える、請求項１に記載の玩具。
【請求項８】
使用者の指によって推進される飛行玩具であって、
対向する第１及び第２の面と外縁とを形成するほぼ平面状の本体と、
前記外縁から内側へ延び、入口を形成する凹部と
を備え、
前記本体は、該入口の一方の側にフック部を、他方の側に指係合部をそれぞれ形成し、
前記指係合部は、互いから離れるように広がって使用者の指を把持可能な一対の翼状部を形成する割れた構造を有する、飛行玩具。
【請求項９】
使用時においては、前記フック部の端部が使用者の指の爪と係合し、前記指係合部が、使用者の前記爪とは反対側において指先と係合する、請求項８に記載の飛行玩具。
【請求項１０】
前記凹部は、前記フック部と前記指係合部との間を延びる弓形の内縁を形成する、請求項９に記載の飛行玩具。
【請求項１１】
前記指係合部は一対の翼状部材を備える、請求項９に記載の飛行玩具。
【請求項１２】
前記一対の翼状部材は弾性を有し、閉鎖位置に向かって互いに接近するように付勢され、使用者の指が前記凹部内に配置されたときに、前記一対の翼状部材が使用者の指を挟む、請求項１１に記載の飛行玩具。
【請求項１３】
前記本体が一対の層からなり、該一対の層は、前記一対の翼状部材を形成するために、指係合部の領域以外においては互いに接着される、請求項１２に記載の飛行玩具。
【発明の詳細な説明】
【技術分野】
【０００１】
本発明はゲーム、玩具等に関する。より詳細には、本発明は、使用者の手の力により推進される飛行玩具に関する。
【背景技術】
【０００２】
本願発明に関連する先行技術文献情報としては次のものがある。
【特許文献１】米国特許第４２６５４５４号明細書
【発明の開示】
【発明が解決しようとする課題】
【０００３】
本発明は、使用者の手の力により推進される飛行玩具を提供する。
【課題を解決するための手段】
【０００４】
本発明の一態様においては、使用者の指によって推進される飛行玩具は、外縁を形成するほぼ平板状の本体を備える。該本体の外縁からは凹部が内側に延びる。凹部は、切欠き部を有し、本体は凹部の切欠き部近傍にフック部を画定するように形成される。凹部近傍のフック部とは反対側の位置において、本体は一対の翼状部を形成する指係合部を備える。翼状部は好ましくは弾性を有し、分かれて広がる外端領域を備える。凹部は使用者の指先を受承できるように構成される。使用者の指先が凹部内に配置されると、本体のフック部は使用者の指の一方の側と係合し、本体の指係合部は使用者のその指の他方の側と係合する。指係合部の翼状部は、使用者の指上で本体を安定させるように分かれて広がる。その後、使用者は掌を上に向け、飛行玩具と指先の係合状態を保ったまま指を手首に向かって曲げる。そして、飛行玩具に沿ってその指と親指とを係合させた後、急速に指を伸ばして親指と前記指との係合状態を解除することにより、指を弾く。このような使用者の指の迅速かつ急速な動きによって飛行玩具は使用者の指先から離脱し、空中を推進させられる。飛行玩具は空中移動時に回転し、その本体部のほぼ平面状の構成により、飛行玩具はかなりの距離を移動することができる。
【０００５】
本発明の一実施形態は、ほぼ平面状をなす本体を備えた、使用者の指によって推進される玩具であって、前記本体は切欠き領域を形成する凹部を有し、前記切欠き領域は、凹部への入口近傍において前記本体にフック部を形成し、前記凹部のフック部とは反対の側において、前記本体は、一対の翼状部を形成する指係合部を備え、前記一対の翼状部は互いから離れるように広がって使用者の指を把持可能である、玩具を提供する。
【０００６】
本発明の別の実施形態は、使用者の指によって推進される飛行玩具であって、対向する第１及び第２の面と外縁とを形成するほぼ平面状の本体と、前記外縁から内側へ延び、入口を形成する凹部とを備え、前記本体は、該入口の一方の側にフック部を、他方の側に指係合部をそれぞれ形成し、前記指係合部は、互いから離れるように広がって使用者の指を把持可能な一対の翼状部を形成する割れた構造を有する、飛行玩具を提供する。
【０００７】
本発明はまた、上記に概要をまとめたように空中で飛行玩具を推進させる方法にも関する。
本発明の他の特徴、目的、効果については、図面を鑑み、以下の説明を読むことにより明らかになるであろう。
【発明を実施するための最良の形態】
【０００８】
図１乃至５には、本発明の飛行玩具、すなわち指で弾く(finger flicker)玩具１０が、外縁１６を形成する対向する表面１２，１４を有するほぼ平面状をなす本体の形態にて示されている。特殊な構成を有する凹部１８は、玩具１０の本体に形成される。凹部１８は、玩具１０を空中で推進させるために使用者の指Ｆの指先を受承できるように構成される。
【０００９】
凹部１８は、弓形縁２０を備えるとともに、切欠き領域２２を形成する。切欠き領域２２は、凹部１８への入口近傍において玩具１０の本体上にフック部２４を形成するように機能する。フック部２４は端部２６にて終端する。端部２６は、丸みを帯びた形状であってもよく、尖った形状であってもよい。
【００１０】
凹部１８のフック部２４とは反対の側において、玩具１０の本体は分割された指係合部２８を有する。指係合部２８は、凹部縁２０の最も奥の部分の接線上をほぼ延びる境界３０の前側に位置する。
【００１１】
分割された指係合部２８は割れた構造を有し、境界３０の前側に位置する一対の翼状部３２，３４を形成する。典型的には、玩具１０は弾性材料からなる一対の層Ｌ１及びＬ２から形成することができる。層Ｌ１及びＬ２は、分割された指係合部２８の領域を除き、玩具１０の本体の全表面領域にわたって前記弾性材料が積層される。しかしながら、これは玩具１０の構成の一例にすぎず、玩具１０は分割された指係合部２８を除きその表面領域にわたって平面構造を形成する任意の方法にて形成することができる。分割された指係合部２８は、任意の方法にて形成し、玩具１０の本体の残りの部分と結合させることができる。図示され、説明されるように、玩具１０の本体の積層構造は、分割された指係合部２８を形成するのに比較的単純且つ安価な手段を提供するため、大量生産に適している。
【００１２】
翼状部３２，３４は、弾性及び可撓性を有するため、広がって離間することが可能であるとともに、その後に少なくとも一部が係合する状態に戻ることが可能である。好ましくは、翼状部３２，３４は常に、使用者の指が上記に説明したように翼状部の対向する表面の間に配置されている場合を除き、対向する表面同士が係合するように配置される。この特徴も、玩具１０の本体の残りの部分と翼状部３２，３４とを一体的に形成することにより得ることができる。典型的には、玩具１０の本体の積層された層Ｌ１及びＬ２は、条件を満たし、弾性を有する任意の熱可塑性材料で形成することができるが、条件を満たせば厚紙等の他の材料を用いることもできる。
【００１３】
使用時には、玩具１０は、空中で玩具１０を推進させる使用者の指Ｆと係合するように構成される。空中で玩具１０を推進させるために、使用者は、フック部２４の端部２６と使用者の指の爪とが係合するように、指先を凹部１８内に配置する。指係合部２８は使用者の指先の反対側と係合する。指係合部２８の翼状部３２，３４は、使用者の指のフック部２４と対向する側とは反対側と翼状部３２，３４とが係合するように分かれて広がる。この構成を有するため、翼状部３２，３４は使用者の指先上で玩具１０を安定させるように機能する。その後、使用者は掌を上に向けて、玩具１０と指先との係合状態を保ったまま指Ｆを手首方向に曲げる。次に、使用者は玩具１０に沿って親指と指Ｆとを係合させ、指Ｆを急速に伸ばして親指と指Ｆとの係合状態を解除することにより、指Ｆを弾く。指Ｆのこのような迅速、且つ急速な動きによって、玩具１０は指Ｆの指先から離れて空中を回転しながら推進させられる。玩具１０の表面領域の大部分がほぼ平面状をなすため、玩具１０はかなりの距離を飛行することができる。翼状部３２，３４は、空力抵抗を最小とするために、玩具１０が空中に発射されると再び係合することが好ましい。或いは、翼状部３２，３４は、玩具１０の空力特性に影響を与えるように離間した状態を保つように形成されてもよい。この構成においては、玩具１０が空中で推進させられるときに玩具１０に所望される動作が得られるように翼状部３２，３４を構成することができる。
【００１４】
図６は、開口３６を備える別の構成の玩具１０を示す。開口３６は、表面１２，１４間において玩具１０の本体の厚さ全体を延びる。図示される実施形態においては、開口３６は弓形のパターンをなすように構成されるが、他の開口構成も用いることができる。符号３６で示されるような開口は、玩具１０の空力特性に影響を与え、玩具１０が空中に発射されて回転するときに玩具１０に所望される動作を提供する。図７及び８は、玩具１０の表面１２，１４に組み込むことのできる改変した他の表面を示す。この実施形態においては、隆起又は突起３８が表面１２，１４の一方又は両方から外方へ延びる。隆起又は突起３８も玩具１０の空力特性に影響を与え、玩具１０が空中に発射されて回転するときに玩具１０に所望される動作を提供する。図９及び１０は、玩具１０の一方又は両方の表面に形成された孔４０を示しており、各孔４０において、玩具１０の表面から外方へ延びるフラップ４２が形成される。フラップ４２は、玩具１０の空力特性に影響を与え、玩具１０が空中に発射されて回転するときに玩具１０に所望される動作を提供する。どの実施形態においても、開口３６、突起３８、フラップ４２や任意の所望されるパターン等、表面の改変部分を玩具１０に任意の数だけ形成することができる。図示される表面の変更例は代表例として示したものであり、本発明は他の表面の改変についても企図しており、これらの改変は本発明の範囲に含まれるものである。
【００１５】
図１１に示されるように、玩具１０の全体形状は図示される形状から変更することができる。すなわち、外縁１６により形成される玩具１０の全体形状又はシルエットは、図示され、説明される形状以外の任意の形状、例えばほぼ円形をなす形状や長楕円形等とすることができる。円形を用いると、適切な絵を玩具１０の対向する表面１２，１４に施すことにより、玩具１０が野球ボール、バスケットボール、サッカーボール等の外形に見えるように形成することができる。長楕円形を用いると、これも玩具１０の対向する表面１２，１４に適切な絵を施すことにより、玩具１０をフットボールのように見せることができる。玩具１０の全体形状は条件を満たす他の任意の形状とすることができ、図面には玩具１０の代表的な形状が示されている。しかしながら全ての形状において、玩具１０と使用者の指先とを係合しやすくするために、玩具１０はフック部２４を形成する凹部１８と、分割された指係合部２８とを備える。
【００１６】
よって、玩具１０の対向する表面１２，１４は、玩具１０がプロモーション又は宣伝用の媒体として使用できるように、絵又は印刷された情報を塗布するのに好適な表面を提供する。
【００１７】
本発明の主題として請求される請求の範囲には様々な変更例及び実施形態が含まれる。
【図面の簡単な説明】
【００１８】
【図１】本発明の飛行玩具の正面図。
【図２】図１の飛行玩具を示す斜視図。
【図３】使用者の指先と係合した状態にある図１の飛行玩具の正面図。
【図４】使用者の指先と係合した状態にある図１の飛行玩具の斜視図。
【図５】飛行玩具が使用者の指先と係合した状態にあり、且つ使用者の指が飛行玩具を発射する準備が整った位置にある、図１の飛行玩具の斜視図。
【図６】本発明の別例における飛行玩具を示す正面図。
【図７】本発明の別例における飛行玩具を示す正面図。
【図８】図７の８−８線における部分断面図。
【図９】飛行玩具の空力特性を変更するように構成される表面を備える、本発明の飛行玩具の一部を示す部分平面図。
【図１０】図９の１０−１０線における部分断面図。
【図１１】本発明の飛行玩具の様々な形状を示す図。
【図１】
0004643631.tif 000002
【図２】
0004643631.tif 000003
【図３】
0004643631.tif 000004
【図４】
0004643631.tif 000005
【図５】
0004643631.tif 000006
【図６】
0004643631.tif 000007
【図７】
0004643631.tif 000008
【図８】
0004643631.tif 000009
【図９】
0004643631.tif 000010
【図１０】
0004643631.tif 000011
【図１１】
0004643631.tif 000012